(57)【特許請求の範囲】
【請求項１】
画像データを表示する表示手段と、外部との通信が可能な第１のインタフェースおよび不揮発性の第１のメモリを備えたメインマイコンと、前記画像データを記憶する不揮発性の第２のメモリを備えて前記メインマイコンから制御されるとともに前記表示手段を制御するサブマイコンと、を有する画像表示装置において、
前記サブマイコンが、外部から直接前記第２のメモリを書き換えるための第２のインタフェースを備え、
前記メインマイコンが、前記第１のインタフェースを介して前記第１のメモリの書き換えを行うと同時に、前記サブマイコンが、前記第２のインタフェースを介して前記第２のメモリの書き換え可能であり、
前記メインマイコンが、前記サブマイコンから書き換え終了コマンドを受信することにより前記第２のメモリの書き換え終了を確認する、
ことを特徴とする画像表示装置。
【請求項２】
前記第２のインタフェースが、前記第１のインタフェースよりも高速に通信を行えるように構成されていることを特徴とする請求項１に記載の画像表示装置。
【発明の詳細な説明】
【技術分野】
【０００１】
本発明は、表示手段に画像を表示する画像表示装置に関し、特に、車両、船舶等の移動体に搭載される計器装置において、計測量等を表示手段に表示する画像表示装置に関するものである。
【背景技術】
【０００２】
車両、船舶などの移動体には、各種の計測手段が計測した複数の情報を移動体の乗員に対して表示する計器装置が搭載されている。この種の計器装置において、車両に搭載される計器装置の計器板等の意匠を変更可能とすることが、例えば、特許文献１に記載されている。
【０００３】
特許文献１に記載された計器装置は、従来、計器装置全体の制御を行うメインマイコンと、メインマイコンから制御され、ディスプレイ（表示装置）の制御を司るサブマイコンとしてのＧＤＣ（Graphic Display Control）マイコンと、を備えている。
【０００４】
メインマイコンは、外部との通信が可能なインタフェースを備えるとともに、フラッシュメモリなどの不揮発性の書き換え可能なメモリも備え、そのメモリに記憶された制御プログラムに基づいてインタフェースから入力される各種車両情報の表示を行うために、ＧＤＣマイコンへの指示を行ったり、指針等の動作を制御する。
【０００５】
ＧＤＣマイコンは、ディスプレイに表示する画像データを記憶した不揮発性の書き換え可能なメモリを備え、メインマイコンの指示に基づいて、そのメモリから画像データを読み出してディスプレイに表示する。
【先行技術文献】
【特許文献】
【０００６】
【特許文献１】特開２００６−３３５０８０号公報
【発明の概要】
【発明が解決しようとする課題】
【０００７】
上述した計器装置において、メインマイコンやＧＤＣマイコンに設けられたメモリに記憶されている制御プログラムや画像データを書き換える場合は、メインマイコンが備えているインタフェースを介して外部から制御プログラムのデータや画像データが入力されて書き換えられる。そのため、ＧＤＣマイコンのメモリに記憶されている画像データを書き換える場合は、メインマイコンを経由して書き換える必要があり、２つのマイコンを介在してデータ処理を行うため、書き換えのためのソフトウェアが複雑になってしまうという問題があった。
【０００８】
また、メインマイコンのメモリとＧＤＣマイコンのメモリの両方を書き換える必要がある場合は、メインマイコンのメモリを書き換えた後にＧＤＣマイコンのメモリを書き換えるといったように直列処理を行うため書き換え時間が長くなってしまうという問題があった。
【０００９】
このような画像データの書き換えは、上述したような単に意匠をカスタマイズするだけではなく、例えば、メーカーでの製造時や、ディーラーでの点検時などでも、初期データの書き込みやアップデートなどによって行われることがあり、書き換え時間の短縮化が望まれていた。
【００１０】
そこで、本発明は、データ書き換えのためのソフトウェアを簡素化し、かつ、書き換え時間を短縮することができる画像表示装置を提供することを課題とする。
【課題を解決するための手段】
【００１１】
上記課題を解決するためになされた請求項１に記載の発明は、画像データを表示する表示手段と、外部との通信が可能な第１のインタフェースおよび不揮発性の第１のメモリを備えたメインマイコンと、前記画像データを記憶する不揮発性の第２のメモリを備えて前記メインマイコンから制御されるとともに前記表示手段を制御するサブマイコンと、を有する画像表示装置において、前記サブマイコンが、外部から直接前記第２のメモリを書き換えるための第２のインタフェースを備え、前記メインマイコンが、前記第１のインタフェースを介して前記第１のメモリの書き換えを行うと同時に、前記サブマイコンが、前記第２のインタフェースを介して前記第２のメモリの書き換え可能であり、前記メインマイコンが、前記サブマイコンから書き換え終了コマンドを受信することにより前記第２のメモリの書き換え終了を確認する、ことを特徴とする画像表示装置である。
【００１２】
請求項２に記載の発明は、請求項１に記載の発明において、第２のインタフェースが、前記第１のインタフェースよりも高速に通信を行えるように構成されていることを特徴とするものである。
【発明の効果】
【００１３】
以上説明したように請求項１に記載の発明によれば、サブマイコンが、外部から直接第２のメモリを書き換えるための第２のインタフェースを備えているので、メインマイコンを介在せずに、画像データを書き換えることができるために、書き換えプログラムを簡素化することができ、さらに、第１のメモリと同時に書き換えることができるため書き換え時間を短縮することができる。
【００１４】
請求項２に記載の発明によれば、第２のインタフェースが、第１のインタフェースよりも高速に通信を行えるように構成されているので、画像データの書き換え時間を更に短縮することができる。
【図面の簡単な説明】
【００１５】
【図１】本発明の一実施形態にかかる画像表示装置としての車両用メータの構成を示す正面図である。
【図２】図１に示された車両用メータのブロック図である。
【図３】図２に示されたＦｌａｓｈ−ＲＯＭの書き換え動作を示したフローチャートである。
【図４】他の車両用メータの構成を示す正面図である。
【発明を実施するための形態】
【００１６】
次に、本発明の一実施形態を図１ないし図４を参照して説明する。本発明の一実施形態にかかる画像表示装置としての車両用メータ１は、図１に示すように、その正面の中央に、表示手段としてのディスプレイ１０が配置されている。また、このディスプレイ１０の周りには、それぞれ独立したアナログ指示計器である、ガソリン等の燃料残量を指示する燃料計２、冷却水の温度を指示する水温計３，バッテリの電圧を指示するバッテリ電圧計４およびエンジンオイルの油圧を指示する油圧計５が配置されている。
【００１７】
ディスプレイ１０は、ＬＣＤ（液晶ディスプレイ）、ＥＬ素子、ブラウン管等からなる。本実施形態ではＬＣＤを使用した場合について説明する。ディスプレイ１０は、その画面に、車両の走行状態を示す文字板等に相当するメータ意匠を含む画像が表示される。
【００１８】
ディスプレイ１０の表示画像は、車両の走行状態の計測量を示す略円形の文字板に相当するメータ意匠を表すように表示される、外側輪郭線１１と、エンジン回転数を指示するためのタコメータ表示領域１２と、区切り線１３と、走行速度を指示するためのスピードメータ表示領域１４とを有する。スピードメータ表示領域１４の内側には、エンジン回転数及び走行速度等の計測量以外の他の情報表示（たとえば、ウォーニング表示等）を行う副表示領域１５が設けられている。スピードメータ表示領域１４と副表示領域１５の間には、略円形の文字板に相当するメータ意匠と共にアナログ指示計器を構成する指針２０が表示されている。
【００１９】
略円形の文字板に相当するメータ意匠の左側にはオド／トリップメータ表示領域１８が設けられ、右側にはオートマチックシフトレバー表示領域１９が設けられている。
【００２０】
また、ディスプレイ１０は、通常の表示として、副表示領域１５にはウォーニング表示等の表示がなく、指針２０が長針表示される。この指針２０は、その下端の端部である支点部と、この支点部から延出する若干幅広の中間部と、その上端までさらにこの中間部から延出する幅狭の先端部とからなる。
【００２１】
また、スピードメータ表示領域１４には、略円形の文字板に相当するメータ意匠の半径方向に伸びる太線目盛と、この太線目盛間に設けられ、同様に半径方向に伸びる細線目盛と、太線目盛の目盛値を示す文字目盛とが表示されている。これらの目盛と指針２０とで、アナログ指示形式のスピードメータが構成されている。すなわち、指針２０は、支点部を支点として旋回可能に表示され、先端部が上述の目盛を指し示すことによって車両の走行速度値を表す。
【００２２】
タコメータ表示領域１２には、略円形輪郭線とこの略円形輪郭線上に所定間隔毎に半径方向に突出して設けられた線目盛とからなる目盛線と、この目盛線の線目盛の目盛値を示す文字目盛とが表示されている。また、目盛線と区切り線の間には、エンジン回転数を指し示すためのセグメントが表示される。このセグメントは、ほぼ四角形の形状で、エンジン回転数に応じた個数だけ表示される。
【００２３】
車両用メータ１は、図２に示すように、メインマイコン３０と、Ｉ／Ｆ３２と、メータ内照明３３と、スピーカ３４と、ＧＤＣマイコン４０と、Ｆｌａｓｈ−ＲＯＭｂ４１と、Ｉ／Ｆ４２と、を備えている。
【００２４】
メインマイコン３０は、不揮発性の書き換え可能なメモリであるＦｌａｓｈ−ＲＯＭａ３１を内蔵するとともに、図示しないＣＰＵやＲＡＭ等も内蔵して、Ｆｌａｓｈ−ＲＯＭａ３１に記憶された制御プログラムに基づいて車両用メータ１全体の制御を司る。
【００２５】
また、メインマイコン３０は、Ｉ／Ｆ３２を介して入力された外部通信による車両信号に基づいて、燃料計２、水温計３，電圧計４、油圧計５をそれぞれ動作させたり、後述するメータ内照明３３、スピーカ３４およびＧＤＣマイコン４０を制御する。
【００２６】
第１のインタフェースとしてのＩ／Ｆ３２は、外部とＣＡＮ（Controller Area Network）規格に則した通信を行う通信インタフェースであり、メインマイコン３０が外部と通信する際のインタフェースとなる。なお、Ｉ／Ｆ３２は、メインマイコン３０に内蔵しても良い。
【００２７】
メータ内照明３３は、車両用メータ１の各メータを照明する。また、ディスプレイ１０は、ＬＣＤのバックライトがメータ内照明を兼ねてもよい。スピーカ３４は、車両用メータ１において乗員に警報すべき状況時に警報音やブザー音などを発する。
【００２８】
ＧＤＣマイコン４０は、図示しないＣＰＵやＲＡＭ、ＲＯＭ等も内蔵して、メインマイコン３０からの制御指示とＲＯＭに記憶された制御プログラムに基づいてディスプレイ１０の表示制御を司る。また、ＧＤＣマイコン４０は、後述するＦｌａｓｈ−ＲＯＭｂ４１から画像データを読み出してディスプレイ１０に画像を表示する。
【００２９】
Ｆｌａｓｈ−ＲＯＭｂ４１は、不揮発性の書き換え可能なメモリであって、ＧＤＣマイコン４０に接続され、ＧＤＣマイコン４０がディスプレイ１０に表示する画像データが記憶されている。なお、Ｆｌａｓｈ−ＲＯＭｂ４１は、ＧＤＣマイコン４０に内蔵しても良い。
【００３０】
第２のインタフェースとしてのＩ／Ｆ４２は、外部とＣＡＮ規格に則した通信を行う通信インタフェースであり、Ｆｌａｓｈ−ＲＯＭｂ４１の画像データを書き換える際の通信インタフェースとなる。なお、Ｉ／Ｆ４２はＩ／Ｆ３２の接続先とは異なる接続先となる。そのためＩ／Ｆ３２とＩ／Ｆ４２は同時に通信動作をすることができる。また、Ｉ／Ｆ４２は、ＧＤＣマイコン４０に内蔵しても良い。また、Ｉ／Ｆ４２はＣＡＮ規格ではなくＵＳＢ（Universal Serial Bus）規格など他の通信規格を用いてもよい。
【００３１】
次に、上述した構成の車両用メータ１において、Ｆｌａｓｈ−ＲＯＭａ３１とＦｌａｓｈ−ＲＯＭｂ４１に記憶されているデータを書き換える際の動作を図３のフローチャートを参照して説明する。
【００３２】
図３のフローチャートにおいて、メインマイコン３０はステップＳ１１〜ステップＳ１４を実行し、ＧＤＣマイコン４０はステップＳ２１〜ステップＳ２４を実行する。また、図３に示したように、ステップＳ１１〜ステップＳ１３とステップＳ２１〜ステップＳ２４は同時に実行可能となっている。
【００３３】
まず、ステップＳ１１において、外部通信Ａ、即ちＩ／Ｆ３２を介してリプロコマンド（Ｆｌａｓｈ−ＲＯＭａ３１書き換えコマンド）を受信したか否かを判断して、受信した場合（Ｙｅｓの場合）はステップＳ１２に進み、受信しない場合（Ｎｏの場合）は本ステップで待機する。
【００３４】
次に、ステップＳ１２において、メインマイコン３０上で動作する制御プログラムを、Ｉ／Ｆ３２を介して受信しＦｌａｓｈ−ＲＯＭａ３１に書き込みステップＳ１３へ進む。
【００３５】
次に、ステップＳ１３において、Ｆｌａｓｈ−ＲＯＭａ３１のリプロ（書き換え）が終了したか否かを判断し、終了した場合（Ｙｅｓの場合）は処理を終了し、終了していない場合（Ｎｏの場合）はステップＳ１２に戻る。
【００３６】
ステップＳ１４においては、後述するＦｌａｓｈ−ＲＯＭｂ４１のリプロ（書き換え）終了コマンドを受信したことを以ってＦｌａｓｈ−ＲＯＭｂ４１のリプロ終了を確認し、処理を終了する。
【００３７】
一方、ステップＳ２１においては、外部通信Ｂ、即ちＩ／Ｆ４２を介してリプロコマンド（Ｆｌａｓｈ−ＲＯＭｂ４１書き換えコマンド）を受信したか否かを判断して、受信した場合（Ｙｅｓの場合）はステップＳ２２に進み、受信しない場合（Ｎｏの場合）は本ステップで待機する。
【００３８】
次に、ステップＳ２２において、ディスプレイ１０に表示される画像データを、Ｉ／Ｆ４２を介して受信しＦｌａｓｈ−ＲＯＭｂ４１に書き込みステップＳ２３へ進む。
【００３９】
次に、ステップＳ２３において、Ｆｌａｓｈ−ＲＯＭｂ４１のリプロ（書き換え）が終了したか否かを判断し、終了した場合（Ｙｅｓの場合）はステップＳ２４へ進み、終了していない場合（Ｎｏの場合）はステップＳ２２に戻る。
【００４０】
次に、ステップＳ２４において、Ｆｌａｓｈ−ＲＯＭｂ４１のリプロ（書き換え）終了コマンドをメインマイコン３０に対して出力する。本ステップでＧＤＣマイコン４０での処理は終了となる。
【００４１】
本実施形態によれば、ＧＤＣマイコン４０にメインマイコン３０とデータ通信を行うライン以外に外部から直接アクセスすることができるＩ／Ｆ４２を接続したので、メインマイコン３０を介在せずに、Ｆｌａｓｈ−ＲＯＭｂ４１に記憶されている画像データを書き換えることができるために、書き換えプログラムを簡素化することができ、さらに、Ｆｌａｓｈ−ＲＯＭａ３１と同時に書き換えることができるため書き換え時間を短縮することができる。
【００４２】
また、Ｉ／Ｆ４２は、Ｉ／Ｆ３２よりも高速に通信できるインタフェースとしてもよい。このようにすることで、画像データの書き換え時間を更に短縮することができる。
【００４３】
なお、画像データとして上述した実施形態のようにメータの意匠まで含むものに限らず、例えば図４に示すような、アナログ指示計器としたスピードメータ１４´とタコメータ１２´との間に設けられたディスプレイ１０´に表示する各種ウォーニングやオド／トリップメータなどの画像データとしてもよい。
【００４４】
なお、上述した実施形態は本発明の代表的な形態を示したに過ぎず、本発明は、実施の形態に限定されるものではない。すなわち、本発明の骨子を逸脱しない範囲で種々変形して実施することができる。
【符号の説明】
【００４５】
１     車両用メータ（画像表示装置）
１０   ディスプレイ（表示手段）
３０   メインマイコン
３１   Ｆｒａｓｈ−ＲＯＭａ（第１のメモリ）
３２   Ｉ／Ｆ（第１のインタフェース）
４０   ＧＤＣマイコン（サブマイコン）
４１   Ｆｒａｓｈ−ＲＯＭｂ（第２のメモリ）
４２   Ｉ／Ｆ（第２のインタフェース）
【図１】
0005501110.tif 000002
【図２】
0005501110.tif 000003
【図３】
0005501110.tif 000004
【図４】
0005501110.tif 000005